(57)【特許請求の範囲】
【請求項１】
高圧の第一高圧導電路と、該第一高圧導電路よりも電圧が低くなる高圧の第二高圧導電路及び低圧の低圧導電路の少なくとも一方を同じ経路で並べて配索する位置に配設し、且つ導電性を有する材料にて形成し、且つ電圧種別毎に仕切られた前記高圧用第一収容部と、前記高圧用第二収容部及び前記低圧用収容部の少なくとも一方を有するように形成し、前記高圧用第一収容部と、前記高圧用第二収容部及び前記低圧用収容部の少なくとも一方は、一対の分割シールドプロテクトを重ね合わせて形成する
ことを特徴とする一体型シールドプロテクタ。
【請求項２】
高圧の第一高圧導電路、該第一高圧導電路よりも電圧が低くなる高圧の第二高圧導電路、及び低圧の低圧導電路を同じ経路で並べて配索する位置に配設し、且つ導電性を有する材料にて形成し、且つ電圧種別毎に仕切られた高圧用第一収容部、高圧用第二収容部、及び低圧用収容部を有するように形成し、前記高圧用第一収容部、前記高圧用第二収容部、及び前記低圧用収容部は、一対の分割シールドプロテクトを重ね合わせて形成する、
或いは、
前記第一高圧導電路と、前記第二高圧導電路又は前記低圧導電路とを同じ経路で並べて配索する位置に配設し、且つ導電性を有する材料にて形成し、且つ電圧種別毎に仕切られた前記高圧用第一収容部と、前記高圧用第二収容部又は前記低圧用収容部とを有するように形成し、前記高圧用第一収容部と、前記高圧用第二収容部又は前記低圧用収容部は、一対の分割シールドプロテクトを重ね合わせて形成する
ことを特徴とする一体型シールドプロテクタ。
【請求項３】
請求項１又は請求項２に記載の一体型シールドプロテクタにおいて、
前記高圧用第一収容部を前記第一高圧導電路に対応する収容部とし、前記第一高圧導電路ごとに前記高圧用第一収容部に収容する
ことを特徴とする一体型シールドプロテクタ。
【請求項４】
請求項１ないし請求項３いずれか記載の一体型シールドプロテクタにおいて、
前記一対の分割シールドプロテクタを重ね合わせた状態で固定する固定部材とを含んで構成する
ことを特徴とする一体型シールドプロテクタ。
【請求項５】
請求項１ないし請求項４いずれか記載の一体型シールドプロテクタと、該一体型シールドプロテクタにより同じ経路で並べて配索される高圧の第一高圧導電路と、該第一高圧導電路よりも電圧が低くなる高圧の第二高圧導電路及び／又は低圧の低圧導電路とを含んで構成する
ことを特徴とするワイヤハーネス。
【請求項６】
請求項５に記載のワイヤハーネスにおいて、
前記一体型シールドプロテクタに連続する導電性の分岐シールドプロテクタを更に含んで構成する
ことを特徴とするワイヤハーネス。
【発明の詳細な説明】
【技術分野】
【０００１】
本発明は、一体型シールドプロテクタと、この一体型シールドプロテクタを備えてなるワイヤハーネスとに関する。
【背景技術】
【０００２】
電気自動車やハイブリッド自動車におけるバッテリーとモータ・インバータとの電気的な接続には、複数本の高圧電線が用いられている。例えば下記特許文献１において、複数本の高圧電線は、この中間部分が車両床下に配索されるとともに、両端部分が車両フレームを貫通して車両前部のエンジンルームや車両後部に配索されている。複数本の高圧電線は、この全長にわたり、各々、金属保護パイプに挿通されている。
【先行技術文献】
【特許文献】
【０００３】
【特許文献１】特開２００４−２２４１５６号公報
【発明の概要】
【発明が解決しようとする課題】
【０００４】
上記従来技術にあっては、複数本の高圧電線を配索するためとして、車両床下に対する固定作業や車両フレームに対する貫通作業等をする必要があることから、配索に係る作業性が良くないということが分かる。そこで、貫通作業がなくなる車室内への配索を考えてみたが、次のような新たな問題点が生じてしまう。
【０００５】
すなわち、上記従来技術における複数本の高圧電線は、電気自動車やハイブリッド自動車用の高圧（２８８Ｖ）の電線であることから、これを車室内に配索すると、同じく車室内で近傍に配索される１２Ｖ用の低圧電線や４２Ｖ用の高圧電線に電磁ノイズの影響が出てしまうという新たな問題点が生じてしまう。また、車室内に配索すると、同じく車室内に搭載される電子機器等に電磁ノイズの影響が出てしまうという新たな問題点が生じてしまう。
【０００６】
この新たな問題点を解消するための対策としては、車室内に配索される複数本の高圧電線と、この近傍に配索される４２Ｖ用や１２Ｖ用の電線とにシールド部材を設ければよいと考えられる。しかしながら、電線各々にシールド部材を設ける対策は、部品点数が増大してしまうという問題点、配索に係る作業工数が増大してしまうという問題点につながってしまう。
【０００７】
本発明は、上記した事情に鑑みてなされたもので、配索に係る作業工数の低減を図るとともに部品点数の削減を図ることが可能な一体型シールドプロテクタ、及びワイヤハーネスを提供することを課題とする。
【課題を解決するための手段】
【０００８】
上記課題を解決するためになされた請求項１記載の本発明の一体型シールドプロテクタは、高圧の第一高圧導電路と、該第一高圧導電路よりも電圧が低くなる高圧の第二高圧導電路及び低圧の低圧導電路の少なくとも一方を同じ経路で並べて配索する位置に配設し、且つ導電性を有する材料にて形成し、且つ電圧種別毎に仕切られた前記高圧用第一収容部と、前記高圧用第二収容部及び前記低圧用収容部の少なくとも一方を有するように形成し、前記高圧用第一収容部と、前記高圧用第二収容部及び前記低圧用収容部の少なくとも一方は、一対の分割シールドプロテクトを重ね合わせて形成することを特徴とする。
このような特徴を有する本発明によれば、高圧用第一収容部と、高圧用第二収容部及び低圧用収容部の少なくとも一方を有し、これら収容部は電圧種別毎に仕切られてなるものであり、また、導電性を有することから、高圧用第一収容部と、高圧用第二収容部及び低圧用収容部の少なくとも一方に、第一高圧導電路と、第二高圧導電路及び低圧導電路の少なくとも一方を収容すると、一つの部品でシールド機能を発揮させることが可能になる。すなわち、例えば第一高圧導電路から発生する電磁ノイズに対しその影響が第二高圧導電路及び低圧導電路の少なくとも一方に及ぼされないようにすることが可能になる。本発明によれば、第一高圧導電路と、第二高圧導電路及び低圧導電路の少なくとも一方を一つの部品で収容することから、部品点数及び作業工数を抑えることが可能になる。
【０００９】
上記課題を解決するためになされた請求項２記載の本発明の一体型シールドプロテクタは、高圧の第一高圧導電路、該第一高圧導電路よりも電圧が低くなる高圧の第二高圧導電路、及び低圧の低圧導電路を同じ経路で並べて配索する位置に配設し、且つ導電性を有する材料にて形成し、且つ電圧種別毎に仕切られた高圧用第一収容部、高圧用第二収容部、及び低圧用収容部を有するように形成し、前記高圧用第一収容部、前記高圧用第二収容部、及び前記低圧用収容部は、一対の分割シールドプロテクトを重ね合わせて形成する、或いは、前記第一高圧導電路と、前記第二高圧導電路又は前記低圧導電路とを同じ経路で並べて配索する位置に配設し、且つ導電性を有する材料にて形成し、且つ電圧種別毎に仕切られた前記高圧用第一収容部と、前記高圧用第二収容部又は前記低圧用収容部とを有するように形成し、前記高圧用第一収容部と、前記高圧用第二収容部又は前記低圧用収容部は、一対の分割シールドプロテクトを重ね合わせて形成することを特徴とする。
【００１０】
このような特徴を有する本発明によれば、高圧用第一収容部、高圧用第二収容部、及び低圧用収容部を有し、これら収容部は電圧種別毎に仕切られてなるものであり、また、導電性を有することから、高圧用第一収容部、高圧用第二収容部、及び低圧用収容部に、第一高圧導電路、第二高圧導電路、及び低圧導電路を収容すると、一つの部品でシールド機能を発揮させることが可能になる。すなわち、例えば第一高圧導電路から発生する電磁ノイズに対しその影響が第二高圧導電路及び低圧導電路に及ぼされないようにすることが可能になる。本発明によれば、第一高圧導電路、第二高圧導電路、及び低圧導電路を一つの部品で収容することから、部品点数及び作業工数を抑えることが可能になる。
或いは、高圧用第一収容部と、高圧用第二収容部又は低圧用収容部とを有し、これら収容部は電圧種別毎に仕切られてなるものであり、また、導電性を有することから、高圧用第一収容部と、高圧用第二収容部又は低圧用収容部とに、第一高圧導電路と、第二高圧導電路又は低圧導電路とを収容すると、一つの部品でシールド機能を発揮させることが可能になる。すなわち、例えば第一高圧導電路から発生する電磁ノイズに対しその影響が第二高圧導電路又は低圧導電路に及ぼされないようにすることが可能になる。本発明によれば、第一高圧導電路と、第二高圧導電路又は低圧導電路とを一つの部品で収容することから、部品点数及び作業工数を抑えることが可能になる。
【００１１】
請求項３記載の本発明の一体型シールドプロテクタは、請求項１又は請求項２に記載の一体型シールドプロテクタにおいて、前記高圧用第一収容部を前記第一高圧導電路に対応する収容部とし、前記第一高圧導電路ごとに前記高圧用第一収容部に収容することを特徴とする。
【００１２】
このような特徴を有する本発明によれば、第一高圧導電路同士で電磁ノイズの影響が及ぼされないようにすることが可能になる。
【００１３】
請求項４記載の本発明の一体型シールドプロテクタは、請求項１乃至請求項３いずれか記載の一体型シールドプロテクタにおいて、前記一対の分割シールドプロテクタを重ね合わせた状態で固定する固定部材とを含んで構成することを特徴とする。
【００１４】
このような特徴を有する本発明によれば、第一高圧導電路と、第二高圧導電路及び／又は低圧導電路とを挟み込むように一対の分割シールドプロテクタを重ね合わせ、この後に固定部材で一対の分割シールドプロテクタを固定する作業を行うことで一体型シールドプロテクタに係る組み付けが完了する。すなわち、簡単に組み付けが完了する。
【００１５】
上記課題を解決するためになされた請求項５記載の本発明のワイヤハーネスは、請求項１ないし請求項４いずれか記載の一体型シールドプロテクタと、該一体型シールドプロテクタにより同じ経路で並べて配索される高圧の第一高圧導電路と、該第一高圧導電路よりも電圧が低くなる高圧の第二高圧導電路及び／又は低圧の低圧導電路とを含んで構成することを特徴とする。
【００１６】
このような特徴を有する本発明によれば、第一高圧導電路と、第二高圧導電路及び／又は低圧導電路とを電圧種別毎に仕切って並べたワイヤハーネスになる。本発明によれば、一体型シールドプロテクタを構成に含むことから、この一体型シールドプロテクタにて電線を収容することとシールド機能を発揮させることとが可能になる。
【００１７】
請求項６記載の本発明のワイヤハーネスは、請求項５に記載のワイヤハーネスにおいて、前記一体型シールドプロテクタに連続する導電性の分岐シールドプロテクタを更に含んで構成することを特徴とする。
【００１８】
このような特徴を有する本発明によれば、第一高圧導電路と、第二高圧導電路及び／又は低圧導電路とを同じ経路で並べて配索する箇所以外の広範囲にわたり、電線を収容することとシールド機能を発揮させることとが可能になる。
【発明の効果】
【００１９】
請求項１および２に記載された本発明によれば、配索に係る作業工数の低減を図るとともに部品点数の削減を図ることが可能な一体型シールドプロテクタを提供することができるという効果を奏する。
【００２０】
請求項３に記載された本発明によれば、第一高圧導電路の一本一本に対してシールド機能を発揮させることができるという効果を奏する。すなわち、第一高圧導電路同士で電磁ノイズの影響が及ぼされないようにすることができるという効果を奏する。
【００２１】
請求項４に記載された本発明によれば、少ない構成で組み付けし易い一体型シールドプロテクタの一形態を提供することができるという効果を奏する。
【００２２】
請求項５に記載された本発明によれば、請求項１ないし請求項４いずれか記載の一体型シールドプロテクタを構成に含むことから、配索に係る作業工数の低減を図るとともに部品点数の削減を図ることが可能なワイヤハーネスを提供することができるという効果を奏する。
【００２３】
請求項６に記載された本発明によれば、広範囲にわたり電線を収容することができるという効果を奏する。また、本発明によれば、広範囲にわたりシールド機能を発揮させることができるという効果を奏する。
【図面の簡単な説明】
【００２４】
【図１】本発明の一体型シールドプロテクタを構成に含むワイヤハーネスの配索経路を示す模式図である。
【図２】ワイヤハーネスの図であり、（ａ）は一部断面を含む斜視図、（ｂ）は構成を示す断面図である（実施例１）。
【図３】他の例となるワイヤハーネスの図であり、（ａ）は一部断面を含む斜視図、（ｂ）は構成を示す断面図である（実施例２）。
【図４】更に他の例となるワイヤハーネスの図であり、（ａ）は一部断面を含む斜視図、（ｂ）は構成を示す断面図である（実施例３）。
【図５】更に他の例となるワイヤハーネスの図であり、（ａ）及び（ｂ）は一部断面を含む斜視図である（実施例４）。
【図６】更に他の例となるワイヤハーネスの図であり、（ａ）及び（ｂ）は一部断面を含む斜視図である（実施例５）。
【発明を実施するための形態】
【００２５】
高圧の第一高圧導電路、この第一高圧導電路よりも電圧が低くなる高圧の第二高圧導電路、及び低圧の低圧導電路を同じ経路で並べて配索するにあたり、高圧用第一収容部、高圧用第二収容部、及び低圧用収容部を有する導電性の一体型シールドプロテクタを用いる。このような一体型シールドプロテクタと、第一高圧導電路、第二高圧導電路、及び低圧導電路とを構成に含むワイヤハーネスを車室内に配索する。
【００２６】
或いは、第一高圧導電路と、第二高圧導電路又は低圧導電路とを同じ経路で並べて配索するにあたり、高圧用第一収容部と、高圧用第二収容部又は低圧用収容部とを有する導電性の一体型シールドプロテクタを用いる。このような一体型シールドプロテクタと、第一高圧導電路等とを構成に含むワイヤハーネスを車室内に配索する。
【実施例１】
【００２７】
以下、図面を参照しながら実施例１を説明する。図１は本発明を示す一体型シールドプロテクタを構成に含むワイヤハーネスの配索経路を示す模式図である。また、図２（ａ）はワイヤハーネスの一部断面を含む斜視図、図２（ｂ）はワイヤハーネスの構成を示す断面図である。
【００２８】
図１において、引用符号１はハイブリッド自動車（又は電気自動車）を示している。ハイブリッド自動車１は、エンジン及びモータの二つの動力をミックスして駆動する車両であって、モータにはインバータを介してバッテリーからの電力が供給されるようになっている。このようなハイブリッド自動車１における引用符号２は車両フレームを示している。図１中において、車両フレーム２の上側は車両床上３を示している。また、車両フレーム２の下側は車両床下４を示している。車両床上３には、本発明のワイヤハーネス２１が配索されている。ワイヤハーネス２１は、車室５内を含んで車両前後方向に長く配索されている。
【００２９】
ワイヤハーネス２１は、車両前部６側に搭載されるインバータ等の複数の機器７に接続されている。また、ワイヤハーネス２１は、車両後部８側に搭載される高圧のバッテリー９や低圧のバッテリー１０に接続されている。さらに、ワイヤハーネス２１は、車室５側に搭載されるＤＣ／ＤＣコンバータ１１に接続されている。尚、図１中の配索経路は一例であるものとする。
【００３０】
ワイヤハーネス２１は、電線群２２と、シールドプロテクタ２３とを備えて構成されている。シールドプロテクタ２３は、電線群２２を電圧種別毎に仕切った状態に収容することができるとともに、シールド機能（電磁シールド機能）を発揮させることができるように構成されている。本実施例のシールドプロテクタ２３は、この大半を占める一体型シールドプロテクタ２４と、一体型シールドプロテクタ２４に連続する分岐シールドプロテクタ２５、２６とを備えて構成されている。
【００３１】
分岐シールドプロテクタ２５は、高圧のバッテリー９に接続される電線群２２に対応する部分として備えられている。また、分岐シールドプロテクタ２６は、低圧のバッテリー１０に接続される電線群２２に対応する部分として備えられている。分岐シールドプロテクタ２５、２６は、特に限定するものでないが、以下で説明する一体型シールドプロテクタ２４を延設するようにして形成されている。
【００３２】
シールドプロテクタ２３は、導電性を有する図示しないブラケット等を介して車両フレーム２に接地・固定されている（グランド可能な部分に接地・固定されるものとする。尚、シールドプロテクタ２３を車両フレーム２に直接接触させて接地するとともに、例えばクリップ等でシールドプロテクタ２３を車両フレーム２に固定するような接地・固定であってもよいものとする。固定方法は特に限定されないものとする）。
【００３３】
以下、図２を参照しながら一体型シールドプロテクタ２４の部分におけるワイヤハーネス２１の構成、構造、及び組み付けについて詳細に説明をする。
【００３４】
図２において、ワイヤハーネス２１を構成する電線群２２は、二本の第一高圧電線２７と、この第一高圧電線２７よりも電圧が低くなる複数本の第二高圧電線２８と、複数本の低圧電線２９とを有している。
【００３５】
上記の第一高圧電線２７は、公知の高圧電線（２８８Ｖ）であって、導体及び絶縁体（被覆）を含んで構成されている。本実施例における導体は、銅や銅合金やアルミニウムにより製造されている。導体に関しては、素線を撚り合わせてなる導体構造のものや、断面矩形又は丸形となる棒状の導体構造（例えば平角単心や丸単心となる導体構造）のもののいずれであってもよいものとする。
【００３６】
第二高圧電線２８は、公知の高圧電線（４２Ｖ）であって、導体及び絶縁体（被覆）を含んで構成されている。本実施例における導体は、銅や銅合金により製造されている。導体に関しては、素線を撚り合わせてなる導体構造のものが用いられている。
【００３７】
低圧電線２９は、公知の絶縁線心（１２Ｖ）であって、第二高圧電線２８と同様に導体及び絶縁体（被覆）を含んで構成されている。導体は、銅や銅合金により製造されている。導体に関しては、素線を撚り合わせてなる導体構造のものが用いられている。
【００３８】
電線群２２は、二本の第一高圧電線２７、複数本の第二高圧電線２８、及び複数本の低圧電線２９を電圧種別毎に纏めた状態にして配索経路が形成されている。
【００３９】
ワイヤハーネス２１を構成するシールドプロテクタ２３は、上記の如く一体型シールドプロテクタ２４と、分岐シールドプロテクタ２５、２６（図１参照）とを備えて構成されている。一体型シールドプロテクタ２４は、電圧種別毎に纏めた状態の二本の第一高圧電線２７、複数本の第二高圧電線２８、及び複数本の低圧電線２９を同じ経路で並べて配索するような位置に配設されている。一体型シールドプロテクタ２４は、シールド機能を発揮させることが可能な導電性を有する部品として形成されている。
【００４０】
一体型シールドプロテクタ２４は、電圧種別毎に纏めた状態の二本の第一高圧電線２７、複数本の第二高圧電線２８、及び複数本の低圧電線２９を各々収容するための収容部として、高圧用第一収容部３０、高圧用第二収容部３１、及び低圧用収容部３２を有している。また、一体型シールドプロテクタ２４は、一対の分割シールドプロテクタ３３、３４と、複数のボルト３５及びナット３６（固定部材）とを含んで分割可能に構成されている。
【００４１】
一対の分割シールドプロテクタ３３、３４は、電圧種別毎に纏めた状態の二本の第一高圧電線２７、複数本の第二高圧電線２８、及び複数本の低圧電線２９を、例えば上下方向から挟み込んで重ね合わせをすることができるように形成されている。重ね合わせた状態の一対の分割シールドプロテクタ３３、３４は、ボルト３５及びナット３６により固定がなされるように形成されている。尚、一対の分割シールドプロテクタ３３、３４を重ね合わせて固定することができるのであれば、ボルト３５及びナット３６以外の固定部材を用いてもよいものとする。
【００４２】
一対の分割シールドプロテクタ３３、３４は、本実施例において導電性を有する金属板（例えば鋼板）をプレス加工することにより形成されている（この限りでないものとする。例えば導電性を有する合成樹脂材料を用いて成形することや、上記金属板と導電性を有する合成樹脂材料によるインサート成形によって形成してもよいものとする）。
【００４３】
高圧用第一収容部３０、高圧用第二収容部３１、及び低圧用収容部３２は、電圧種別毎に設けられた収容部であって、これら収容部間は連結部３７により仕切られた状態となるように形成されている。仕切りとなる連結部３７は、電磁ノイズの漏れが生じないように、また、収容部間が所定の間隔を有するように形成されている。尚、一体型シールドプロテクタ２４の側部位置に形成される引用符号３８の部分は、ボルト挿通孔３９を有する固定用フランジ部を示している。固定用フランジ部３８は、ボルト挿通孔３９を有する以外、連結部３７と同様に形成されている。
【００４４】
分割シールドプロテクタ３３において、引用符号３０ａは高圧用第一収容部３０に対応する部分を、３１ａは高圧用第二収容部３１に対応する部分を、３２ａは低圧用収容部３２に対応する部分を、３７ａは連結部３７に対応する部分を、３８ａは固定用フランジ部３８に対応する部分をそれぞれ示している。また、分割シールドプロテクタ３４において、引用符号３０ｂは高圧用第一収容部３０に対応する部分を、３１ｂは高圧用第二収容部３１に対応する部分を、３２ｂは低圧用収容部３２に対応する部分を、３７ｂは連結部３７に対応する部分を、３８ｂは固定用フランジ部３８に対応する部分をそれぞれ示している。
【００４５】
高圧用第一収容部３０は、二本の第一高圧電線２７を収容する収容部として形成されている。また、高圧用第二収容部３１は、複数本の第二高圧電線２８を収容する収容部として形成されている。また、低圧用収容部３２は複数本の低圧電線２９を収容する収容部として形成されている。高圧用第一収容部３０は、断面視略長円形状に形成されている。また、高圧用第二収容部３１及び低圧用収容部３２は、断面円形状に形成されている。
【００４６】
以上のような一体型シールドプロテクタ２４により、電線群２２は一括して収容されるようになっている。すなわち、二本の第一高圧電線２７を専用のシールドプロテクタ単独で収容するのではなく、また、複数本の第二高圧電線２８を専用のシールドプロテクタ単独で収容するのでもなく、さらに、複数本の低圧電線２９を専用のシールドプロテクタ単独で収容するのでもない。従って、一体型シールドプロテクタ２４を備えることにより、上記のような各電線に対応する専用のシールドプロテクタと比べ、部品点数を少なくすることができるという効果を奏する。また、固定をするためのボルト及びナットの数を少なくすることができるという効果を奏する。さらに、ボルト及びナットの締結数も格段に少なくすることができるという効果を奏する。この他、ワイヤハーネス２１の配索に係る作業性を向上させることができるという効果を奏する。
【実施例２】
【００４７】
以下、図面を参照しながら実施例２を説明する。図３（ａ）は他の例となるワイヤハーネスの一部断面を含む斜視図、図３（ｂ）は他の例となるワイヤハーネスの構成を示す断面図である。尚、上記実施例１と同一の構成部材には同一の符号を付して詳細な説明を省略する。
【００４８】
図３において、実施例２のワイヤハーネス４１は、実施例１の一体型シールドプロテクタ２４に替えて一体型シールドプロテクタ４２を備える点が相違している。以下、一体型シールドプロテクタ４２について説明をする。
【００４９】
一体型シールドプロテクタ４２は、二本の第一高圧電線２７を各々収容することができるように断面円形状の高圧用第一収容部４３が二つ並んで形成されている。二つ並んだ高圧用第一収容部４３は、連結部３７により仕切られている。一体型シールドプロテクタ４２は、一対の分割シールドプロテクタ４４、４５と、複数のボルト３５及びナット３６とを含んで分割可能に構成されている。引用符号４３ａ、４３ｂは高圧用第一収容部４３に対応する部分を示している。一体型シールドプロテクタ４２に関し、上記以外の部分は実施例１の一体型シールドプロテクタ２４と同じに形成されている。
【００５０】
以上のような一体型シールドプロテクタ４２は、実施例１の一体型シールドプロテクタ２４と同様の効果を奏するのは勿論のこと、第一高圧電線２７の一本一本に対してシールド機能を発揮させることができるという効果を奏する。すなわち、第一高圧電線２７同士で電磁ノイズの影響が及ぼされないようにすることができるという効果を奏する。
【実施例３】
【００５１】
以下、図面を参照しながら実施例３を説明する。図４（ａ）は更に他の例となるワイヤハーネスの一部断面を含む斜視図、図４（ｂ）は更に他の例となるワイヤハーネスの構成を示す断面図である。尚、上記実施例２と同一の構成部材には同一の符号を付して詳細な説明を省略する。
【００５２】
図４において、実施例３のワイヤハーネス５１は、実施例２の一体型シールドプロテクタ４２における高圧用第二収容部３１の断面形状を矩形状に変更した点で相違している。すなわち、一体型シールドプロテクタ５２を備える点で相違している。以下、一体型シールドプロテクタ５２について説明をする。
【００５３】
一体型シールドプロテクタ５２は、断面視矩形状の高圧用第二収容部５３を有している。断面視矩形状の高圧用第二収容部５３には、複数本の第二高圧電線２８が収容されている。引用符号５３ａ、５３ｂは高圧用第二収容部５３に対応する部分を示している。一体型シールドプロテクタ５２に関し、上記以外の部分は実施例２の一体型シールドプロテクタ４２と同じに形成されている。
【００５４】
尚、本実施例においては高圧用第二収容部５３を断面視矩形状に形成しているが、これに限らず高圧用第一収容部４３の方を断面視矩形状にしてもよいものとする。形状を異ならせることで、識別し易くすることができるようになっている。
【００５５】
以上のような一体型シールドプロテクタ５２は、実施例２の一体型シールドプロテクタ４２と同様の効果を奏するのは勿論のこと、組み付けに係る作業性を向上させることができるという効果を奏する。
【実施例４】
【００５６】
以下、図面を参照しながら実施例４を説明する。図５（ａ）及び（ｂ）は更に他の例となるワイヤハーネスの一部断面を含む斜視図である。尚、上記実施例１、２と同一の構成部材には同一の符号を付して詳細な説明を省略する。
【００５７】
図５において、実施例４のワイヤハーネス６１は、電線群６２と、シールドプロテクタ６３とを備えて構成されている。シールドプロテクタ６３は、電線群６２を電圧種別毎に仕切った状態に収容することができるとともに、シールド機能（電磁シールド機能）を発揮させることができるように構成されている。本実施例のシールドプロテクタ６３は、この大半を占める一体型シールドプロテクタ６４と、一体型シールドプロテクタ６４に連続する図示しない分岐シールドプロテクタとを備えて構成されている。
【００５８】
以下、一体型シールドプロテクタ６４の部分におけるワイヤハーネス６１の構成、構造、及び組み付けについて説明をする。
【００５９】
ワイヤハーネス６１を構成する電線群６２は、二本の第一高圧電線２７と、複数本の低圧電線２９とを有している。電線群６２は、二本の第一高圧電線２７及び複数本の低圧電線２９を電圧種別毎に纏めた状態にして配索経路が形成されている。
【００６０】
シールドプロテクタ６３における一体型シールドプロテクタ６４は、電圧種別毎に纏めた状態の二本の第一高圧電線２７及び複数本の低圧電線２９を同じ経路で並べて配索するような位置に配設されている。一体型シールドプロテクタ６４は、シールド機能を発揮させることが可能な導電性を有する部品として形成されている。
【００６１】
一体型シールドプロテクタ６４は、電圧種別毎に纏めた状態の二本の第一高圧電線２７及び複数本の低圧電線２９を各々収容するための収容部として、図５（ａ）の場合、高圧用第一収容部３０及び低圧用収容部３２を有している。また、図５（ａ）の場合、一体型シールドプロテクタ６４は、一対の分割シールドプロテクタ６５、６６と、複数のボルト３５及びナット３６（固定部材）とを含んで分割可能に構成されている。
【００６２】
一方、図５（ｂ）の場合は、二つ並んだ高圧用第一収容部４３及び低圧用収容部３２を有している。また、図５（ｂ）の場合、一体型シールドプロテクタ６４は、一対の分割シールドプロテクタ６７、６８と、複数のボルト３５及びナット３６（固定部材）とを含んで分割可能に構成されている。
【００６３】
一対の分割シールドプロテクタ６５、６６（６７、６８）は、電圧種別毎に纏めた状態の二本の第一高圧電線２７及び複数本の低圧電線２９を、例えば上下方向から挟み込んで重ね合わせをすることができるように形成されている。重ね合わせた状態の一対の分割シールドプロテクタ６５、６６（６７、６８）は、ボルト３５及びナット３６により固定がなされるように形成されている。
【００６４】
一対の分割シールドプロテクタ６５、６６（６７、６８）は、本実施例において導電性を有する金属板（例えば鋼板）をプレス加工することにより形成されている（この限りでないものとする。例えば導電性を有する合成樹脂材料を用いて成形することや、上記金属板と導電性を有する合成樹脂材料によるインサート成形によって形成してもよいものとする）。
【００６５】
高圧用第一収容部３０及び低圧用収容部３２（高圧用第一収容部４３及び低圧用収容部３２）は、電圧種別毎に設けられた収容部であって、これら収容部間は連結部３７により仕切られた状態となるように形成されている。仕切りとなる連結部３７は、電磁ノイズの漏れが生じないように、また、収容部間が所定の間隔を有するように形成されている。
【００６６】
以上のような一体型シールドプロテクタ６４により、電線群６２は一括して収容されるようになっている。すなわち、二本の第一高圧電線２７を専用のシールドプロテクタ単独で収容するのではなく、また、複数本の低圧電線２９を専用のシールドプロテクタ単独で収容するのでもない。従って、一体型シールドプロテクタ６４を備えることにより、上記のような各電線に対応する専用のシールドプロテクタと比べ、部品点数を少なくすることができるという効果を奏する。また、固定をするためのボルト及びナットの数を少なくすることができるという効果を奏する。さらに、ボルト及びナットの締結数も格段に少なくすることができるという効果を奏する。この他、ワイヤハーネス６１の配索に係る作業性を向上させることができるという効果を奏する。
【実施例５】
【００６７】
以下、図面を参照しながら実施例５を説明する。図６（ａ）及び（ｂ）は更に他の例となるワイヤハーネスの一部断面を含む斜視図である。尚、上記実施例１、２と同一の構成部材には同一の符号を付して詳細な説明を省略する。
【００６８】
図６において、実施例５のワイヤハーネス７１は、電線群７２と、シールドプロテクタ７３とを備えて構成されている。シールドプロテクタ７３は、電線群７２を電圧種別毎に仕切った状態に収容することができるとともに、シールド機能（電磁シールド機能）を発揮させることができるように構成されている。本実施例のシールドプロテクタ７３は、この大半を占める一体型シールドプロテクタ７４と、一体型シールドプロテクタ７４に連続する図示しない分岐シールドプロテクタとを備えて構成されている。
【００６９】
以下、一体型シールドプロテクタ７４の部分におけるワイヤハーネス７１の構成、構造、及び組み付けについて説明をする。
【００７０】
ワイヤハーネス７１を構成する電線群７２は、二本の第一高圧電線２７と、複数本の第二高圧電線２８とを有している。電線群７２は、二本の第一高圧電線２７及び複数本の第二高圧電線２８を電圧種別毎に纏めた状態にして配索経路が形成されている。
【００７１】
シールドプロテクタ７３における一体型シールドプロテクタ７４は、電圧種別毎に纏めた状態の二本の第一高圧電線２７及び複数本の第二高圧電線２８を同じ経路で並べて配索するような位置に配設されている。一体型シールドプロテクタ７４は、シールド機能を発揮させることが可能な導電性を有する部品として形成されている。
【００７２】
一体型シールドプロテクタ７４は、電圧種別毎に纏めた状態の二本の第一高圧電線２７及び複数本の第二高圧電線２８を各々収容するための収容部として、図６（ａ）の場合、高圧用第一収容部３０及び高圧用第二収容部３１を有している。また、図６（ａ）の場合、一体型シールドプロテクタ７４は、一対の分割シールドプロテクタ７５、７６と、複数のボルト３５及びナット３６（固定部材）とを含んで分割可能に構成されている。
【００７３】
一方、図６（ｂ）の場合は、二つ並んだ高圧用第一収容部４３及び高圧用第二収容部３１を有している。また、図６（ｂ）の場合、一体型シールドプロテクタ７４は、一対の分割シールドプロテクタ７７、７８と、複数のボルト３５及びナット３６（固定部材）とを含んで分割可能に構成されている。
【００７４】
一対の分割シールドプロテクタ７５、７６（７７、７８）は、電圧種別毎に纏めた状態の二本の第一高圧電線２７及び複数本の第二高圧電線２８を、例えば上下方向から挟み込んで重ね合わせをすることができるように形成されている。重ね合わせた状態の一対の分割シールドプロテクタ７５、７６（７７、７８）は、ボルト３５及びナット３６により固定がなされるように形成されている。
【００７５】
一対の分割シールドプロテクタ７５、７６（７７、７８）は、本実施例において導電性を有する金属板（例えば鋼板）をプレス加工することにより形成されている（この限りでないものとする。例えば導電性を有する合成樹脂材料を用いて成形することや、上記金属板と導電性を有する合成樹脂材料によるインサート成形によって形成してもよいものとする）。
【００７６】
高圧用第一収容部３０及び高圧用第二収容部３１（高圧用第一収容部４３及び高圧用第二収容部３１）は、電圧種別毎に設けられた収容部であって、これら収容部間は連結部３７により仕切られた状態となるように形成されている。仕切りとなる連結部３７は、電磁ノイズの漏れが生じないように、また、収容部間が所定の間隔を有するように形成されている。
【００７７】
以上のような一体型シールドプロテクタ７４により、電線群７２は一括して収容されるようになっている。すなわち、二本の第一高圧電線２７を専用のシールドプロテクタ単独で収容するのではなく、また、複数本の第二高圧電線２８を専用のシールドプロテクタ単独で収容するのでもない。従って、一体型シールドプロテクタ７４を備えることにより、上記のような各電線に対応する専用のシールドプロテクタと比べ、部品点数を少なくすることができるという効果を奏する。また、固定をするためのボルト及びナットの数を少なくすることができるという効果を奏する。さらに、ボルト及びナットの締結数も格段に少なくすることができるという効果を奏する。この他、ワイヤハーネス７１の配索に係る作業性を向上させることができるという効果を奏する。
【００７８】
この他、本発明は本発明の主旨を変えない範囲で種々変更実施可能なことは勿論である。
【符号の説明】
【００７９】
１…ハイブリッド自動車
２…車両フレーム
３…車両床上
４…車両床下
５…車室
６…車両前部
７…機器
８…車両後部
９…高圧のバッテリー
１０…低圧のバッテリー
１１…ＤＣ／ＤＣコンバータ
２１…ワイヤハーネス
２２…電線群
２３…シールドプロテクタ
２４…一体型シールドプロテクタ
２５、２６…分岐シールドプロテクタ
２７…第一高圧電線（第一高圧導電路）
２８…第二高圧電線（第二高圧導電路）
２９…低圧電線（低圧導電路）
３０…高圧用第一収容部
３１…高圧用第二収容部
３２…低圧用収容部
３３、３４…分割シールドプロテクタ
３５…ボルト（固定部材）
３６…ナット（固定部材）
３７…連結部
３８…固定用フランジ部
３９…ボルト挿通孔
４１…ワイヤハーネス
４２…一体型シールドプロテクタ
４３…高圧用第一収容部
４４、４５…分割シールドプロテクタ
５１…ワイヤハーネス
５２…一体型シールドプロテクタ
５３…高圧用第二収容部
６１…ワイヤハーネス
６２…電線群
６３…シールドプロテクタ
６４…一体型シールドプロテクタ
６５〜６８…分割シールドプロテクタ
７１…ワイヤハーネス
７２…電線群
７３…シールドプロテクタ
７４…一体型シールドプロテクタ
７５〜７８…分割シールドプロテクタ
【図１】
0005475568.tif 000002
【図２】
0005475568.tif 000003
【図３】
0005475568.tif 000004
【図４】
0005475568.tif 000005
【図５】
0005475568.tif 000006
【図６】
0005475568.tif 000007